(57)【要約】【課題】  従来の回転文字盤時計は、文字盤の重量によって、動力を伝える回転軸の負担が大きく、また、デザインや機能の種類が限られてくるという問題があった。これは、回転文字盤の構造により、回転軸を回転文字盤の中心に配置しなければならなかったためである。【解決手段】  回転文字盤を回転軸に負担なく回転させるために、回転文字盤の裏面に突起を設け、その突起に噛み合い動力を伝える歯車を回転軸に設け、さらに回転文字盤、並びにその他文字盤の側面を曲面構造にした。これにより、内蔵機械の動力を伝える回転軸には重量がかからず負担が軽減され、また、裏面に突起設けたことで、歯車を設けた回転軸を回転文字盤の中心に配置する必要がなくなり、文字盤上で様々なデザインや機能の種類を増やすことができる。【選択図】      図２
2005106794.tif 000002
【特許請求の範囲】
【請求項１】
回転軸に歯車を設けて内蔵機械の動力を伝え、文字盤上の回転文字盤を回転させるために、回転文字盤の裏面に歯車のような突起を設けた回転文字盤時計。
【請求項２】
回転軸に負荷をかけず、各文字盤どうしで支えあうために、回転文字盤、並びに、その他文字盤の側面を曲面にした回転文字盤時計。
【発明の詳細な説明】
【技術分野】
【０００１】  本発明は、従来の回転文字盤時計の耐久性を向上させ、文字盤上のスペースに無駄なく１つ以上の回転する文字盤を設ける事が出来るようにした、時計の文字盤の構造についての発明である。
【背景技術】
【０００２】  従来の回転文字盤時計は、アナログ時計で使用される短針と長針を、それぞれ、短針は右廻り１２時間で１回転する回転文字盤に変え、長針は右廻り６０分間で１回転する回転に変え、それら２つの回転文字盤の中心部を内蔵機械から伸びた回転軸に設けて回転させていた。【０００３】  それぞれの回転文字盤に記載された文字を時刻として読み取るために、上方のガラスの内側に中心から外周まで直線を引いており、これを見取り線として、この下を通過する回転文字盤の文字を読み取り時刻を知っていた。【０００４】  この回転文字盤の固定されたケースに一定間隔で指標を設け、上方のガラスと回転文字盤との兼ね合いによって、時差も測れるという時計であった。
【特許文献１】      特開平８−１２９０７５
【発明の開示】
【発明が解決しようとする課題】
【０００５】  以上に述べた従来の回転文字盤を持つ時計には、まず回転文字盤に関して、従来のアナログ時計は針を使用しており小さく軽量なので、設置部分である内蔵機械から伸びた回転軸に負担をかける事なく回転させる事が容易であったが、この回転文字盤であると面積が必要となり重量がかかる。この回転文字盤が金属製になるとさらに重量が増し、回転文字盤の数が増えるとさらに回転軸の負担が大きくなるという欠点がある。【０００６】  重量対策として、厚紙のような回転文字盤であったとしても回転文字盤自体の耐久性に乏しくなり、固定されたケースの内周との摩擦や回転文字盤どうしの摩擦により、回転文字盤の側面の消耗が考えられる。【０００７】  この回転文字盤時計の構造であると、中心に設けられた回転軸でしか動力を伝える方法がなく、この回転軸を中心とした回転文字盤の配置しかできない。【０００８】  本発明は、このような従来の構成が有していた問題を解決しようとするものであり、内蔵機械からの動力を無理なく回転文字盤に伝えるようにし、文字盤上で機能によって様々な回転文字盤の配置が出来る時計を実現することを目的とするものである。
【課題を解決するための手段】
【０００９】  そして、本発明は上記目的を達成するために、回転文字盤を回転させるために、回転文字盤の裏面に、歯車のような突起を設けたものである。【００１０】  また、第二の課題解決手段は、各回転文字盤に設けた裏面突起に噛み合い、内蔵機械からの動力を各回転文字盤に別々に伝えるため、文字盤上の回転文字盤の数だけ設けた内蔵機械から伸びた各回転軸に、それぞれ専用の歯車を設けたものである。【００１１】  また、第三の課題解決手段は、回転軸に負荷をかけず、各文字盤どうしで支えあうために、回転文字盤、並びに、その他文字盤の側面を曲面にしたものである。【００１２】  上記の解決手段による作用は次の通りである。すなわち、内蔵機械からの動力を回転軸に設けた歯車に一端介して、各回転文字盤の裏面に設けた突起に動力を伝えるので、回転軸には、各回転文字盤が直接接することがなくなる。【００１３】  また、第三の課題解決手段による作用は、回転文字盤やその他文字盤の側面を曲面構造にすることで、文字盤と文字盤を噛み合わせて、回転軸に接することなく各文字盤と時計ケースのみで回転文字盤、並びに、その他文字盤を支えあうようにしている。
【発明の効果】
【００１４】  上述したように本発明の回転文字盤は、直接、回転軸に接することなく、各文字盤側面の曲面構造と内蔵機械からの動力を、回転軸から歯車に一端介して裏面突起に伝達する構造により、回転文字盤を含めた各文字盤の重量を、回転軸は全て受けることがなくなり、回転軸の耐久性が向上する。【００１５】  こうした構造により、重量の考慮が不必要になれば回転文字盤に重量のある金属等を用いることができ、回転文字盤のデザインの種類も増やすことができる。【００１６】  また、回転文字盤に一体となっている裏面の突起は、回転文字盤裏面の外周、または、内周の全周に配せられているので、回転軸の位置を変えることで、回転軸に設けられた歯車との動力伝達点は１点に定まることがなくなり、裏面全周の突起の至る所に歯車を接合することが出来るようになる。【００１７】  また、以上のように回転軸を回転文字盤の中央に設ける必要がなくなれば、２つ以上の回転文字盤を１つの回転軸を中心にして規則正しく並べる必要がなくなり、内蔵機械から日付や秒などの回転速度の違う回転軸を増やして、それら日付や秒などを記した専用の回転文字盤を設けるなど、別の機能を持つ回転文字盤を１つの時計に同時に数個配置することが出来る。しかも、この構造ならば大きな回転文字盤の内側に、逆回転の小さな回転文字盤を設けることも出来るので、機能面やデザイン面でも大幅にバリエーションが増えるという効果を発揮するものである。
【発明を実施するための最良の形態】
【００１８】  以下、本発明の実施の形態を図１〜図３に基づいて説明する。【００１９】  １〜４は回転文字盤Ａ〜Ｄで、それぞれの裏面全周に突起５〜８を一体化させている。【００２０】  文字盤２１、並びに、回転文字盤１〜４の側面は、図３の通り曲面になっていて、互いを支えている。【００２１】  突起５〜８に噛み合わされる９〜１２の歯車ａ〜ｄを設けて、地板１７の上に出たｅ〜ｈの回転軸１３〜１６にはめ込んでいる。【００２２】  固定指針１８〜２０は、時刻を指し示す。【００２３】  以上の１〜２１を、時計ケース２２に納め、風防ガラス２３を設けている。【００２４】  以下、上記構成の動作を説明する。地板１７の下の内蔵機械から伝達された動力は、ｅ〜ｈの回転軸１３〜１６にそれぞれ伝わり、各回転軸にはめ込まれたａ〜ｄの歯車９〜１２を介し、Ａ〜Ｄの回転文字盤１〜４の裏面全周に一体化するように設けられたＥ〜Ｈの突起５〜８に伝達され、各回転文字盤がそれぞれ別々に回転出来るようになっている。【００２５】  文字盤２１と回転文字盤１〜４は、曲面の構造によってお互いを支えあっている。そして、これらの各文字盤は時計ケース２２によって支えられている。【００２６】  現在時刻等を知るには、各回転文字盤の近くに設けられたＩ〜Ｋの固定指針１８〜２０を用いるが、回転文字盤以外の空きスペースに指標を記すのであれば、これら固定指針を設ける必要はない。【００２７】  以上のように本実施の形態によれば、時計の寿命が伸びるという効果と、機能面やデザイン面での多様化が得られるものである。
【図面の簡単な説明】
【００２８】
【図１】  本発明の平面図である。
【図２】  本発明のＸ−Ｘ断面図の一部である。
【図３】  本発明のＹ−Ｙ断面図の一部である。
【符号の説明】
【００２９】１  回転文字盤Ａ      ２  回転文字盤Ｂ      ３  回転文字盤Ｃ
４  回転文字盤Ｄ      ５  突起Ｅ      ６  突起Ｆ      ７  突起Ｇ
８  突起Ｈ      ９  歯車ａ      １０  歯車ｂ      １１  歯車ｃ
１２  歯車ｄ      １３  回転軸ｅ      １４  回転軸ｆ      １５  回転軸ｇ
１６  回転軸ｈ      １７  地板      １８  固定指針Ｉ      １９  固定指針Ｊ
２０  固定指針Ｋ      ２１  文字盤      ２２  時計ケース
２３  風防ガラス
【図１】
2005106794.tif 000003
【図２】
2005106794.tif 000004
【図３】
2005106794.tif 000005